(57)【要約】【課題】  所定のユーザだけが画像データだけを取り出して編集できるように画像ファイルを作成する画像処理装置を提供する。【解決手段】  画像処理装置は、レイヤ管理できる画像ファイルを作成し、配信する画像処理装置であって、第１画像データを取得する第１画像データ取得部と、第２画像データを取得する第２画像データ取得部と、作成した画像ファイルの送信先を受け付ける受付手段と、前記受付手段によって受け付けた送信先に応じて、前記第１画像データと前記第２画像データとを、同じレイヤに格納するか、異なるレイヤに格納するか、判断する判断部と、前記判断部の判断の結果に基づいて、前記第１画像データと前記第２画像データとを、同じレイヤ又は異なるレイヤに格納して画像ファイルを作成する画像ファイル形成部と、前記受付手段によって受け付けた送信先へ前記画像ファイルを送信する送信手段とを備える。【選択図】      図２
2006279401.tif 000002
【特許請求の範囲】
【請求項１】
レイヤ管理できる画像ファイルを作成し、配信する画像処理装置であって、
第１画像データを取得する第１画像データ取得部と、
第２画像データを取得する第２画像データ取得部と、
作成した画像ファイルの送信先を受け付ける受付手段と、
前記受付手段によって受け付けた送信先に応じて、前記第１画像データと前記第２画像データとを、同じレイヤに格納するか、異なるレイヤに格納するか、判断する判断部と、
前記判断部の判断の結果に基づいて、前記第１画像データと前記第２画像データとを、同じレイヤ又は異なるレイヤに格納して画像ファイルを作成する画像ファイル形成部と、
前記受付手段によって受け付けた送信先へ前記画像ファイルを送信する送信手段と
を備えたことを特徴とする画像処理装置。
【請求項２】
前記判断部は、前記受付手段によって受け付けた送信先のユーザが登録されているか否かに応じて、前記第１画像データと前記第２画像データとを、同じレイヤに格納するか、異なるレイヤに格納するか、判断することを特徴とする請求項１に記載の画像処理装置。
【請求項３】
レイヤ管理できる画像ファイルを作成する画像処理装置であって、
第１画像データを取得する第１画像データ取得部と、
第２画像データを取得する第２画像データ取得部と、
前記画像ファイルの作成の指示をしたユーザに応じて、前記第１画像データと前記第２画像データとを、同じレイヤに格納するか、異なるレイヤに格納するか、判断する判断部と、
前記判断部の判断の結果に基づいて、前記第１画像データと前記第２画像データとを、同じレイヤ又は異なるレイヤに格納して画像ファイルを作成する画像ファイル形成部と
を備えたことを特徴とする画像処理装置。
【請求項４】
前記画像処理装置は、さらに、前記画像ファイルの作成を指示するユーザの識別情報を入力する識別情報入力部を備え、
前記判断部は、前記識別情報入力部から入力された識別情報がユーザ登録されているか否かに応じて、前記第１画像データと前記第２画像データとを、同じレイヤに格納するか、異なるレイヤに格納するか、判断することを特徴とする請求項３に記載の画像処理装置。
【請求項５】
前記第２画像データは、地紋データであることを特徴とする請求項１から４のいずれか一項に記載の画像処理装置。
【請求項６】
前記画像ファイルは、ＰＤＦファイルであることを特徴とする請求項１から５のいずれか一項に記載の画像処理装置。
【請求項７】
レイヤ管理できる画像ファイルを作成し、配信する画像処理方法であって、
第１画像データを取得するステップと、
第２画像データを取得するステップと、
作成した画像ファイルの送信先を受け付けるステップと、
前記受付手段によって受け付けた送信先に応じて、前記第１画像データと前記第２画像データとを、同じレイヤに格納するか、異なるレイヤに格納するか、判断するステップと、
前記判断の結果に基づいて、前記第１画像データと前記第２画像データとを、同じレイヤ又は異なるレイヤに格納して画像ファイルを作成するステップと、
前記受付手段によって受け付けた送信先へ前記画像ファイルを送信するステップと
を含むことを特徴とする画像処理方法。
【請求項８】
レイヤ管理できる画像ファイルを作成し、配信する画像処理方法であって、
第１画像データを取得するステップと、
第２画像データを取得するステップと、
前記画像ファイルの作成の指示をしたユーザに応じて、前記第１画像データと前記第２画像データとを、同じレイヤに格納するか、異なるレイヤに格納するか、判断するステップと、
前記判断部の判断の結果に基づいて、前記第１画像データと前記第２画像データとを、同じレイヤ又は異なるレイヤに格納して画像ファイルを作成するステップと
を含むことを特徴とする画像処理方法。
【請求項９】
請求項７又は８のいずれか一項に記載の画像処理方法をコンピュータで実行させる画像処理プログラム。
【請求項１０】
請求項９に記載の画像処理プログラムを格納したことを特徴とするコンピュータ読み取り可能な記録媒体。
【発明の詳細な説明】
【技術分野】
【０００１】
本発明は、複数の画像データを複数のレイヤで管理するレイヤ管理機能を有する画像ファイルを生成可能な画像処理装置に関する。
【背景技術】
【０００２】
画像処理装置は、プリント機能だけでなくスキャン、ＦＡＸ、メール配信等の多機能複合機（ＭＦＰ）として、社内の部門ごと、あるいは社内で構築されたネットワークに接続され、複数ユーザによって共有される場合が多くなっている。
【０００３】
近年は、このようなネットワークに接続された画像処理装置におけるセキュリティが重要となってきている。例えば、プリントして利用する画像データ（文書データのイメージも含む）の中には、社外秘の内容等が含まれるため限られた部数での利用を意図している場合がある。このような画像データが複写された場合に、複写物であることがわかるように複写時に鮮明な模様となる地紋データを、見えづらいように、付加して印刷することが知られている。例えば、印鑑登録証明書に、登録印鑑の印影とともに、複写時に鮮明になる地紋を加えて印刷する技術が知られている（例えば、特許文献１参照。）。また、カラー複写機で複写した際に偽造であることを表示するような偽造防止印刷物が知られている（例えば、特許文献２参照。）。
【０００４】
また、送信先のＭＦＰで印刷する文書データの総印刷部数を作成者の意図した部数に制限する技術が知られている（例えば、特許文献３参照。）。またさらに、利用者ごとに利用可能なアプリケーションを登録し、制限する方法が知られている（例えば、特許文献４参照。）。また、ＭＦＰでスキャンしたスキャン文書とその文書に対するセキュリティ情報とをリンクさせて持つという技術が知られている（例えば、特許文献５参照。）。
【０００５】
【特許文献１】実用新案登録第３０７９２３０号公報
【特許文献２】特開平７−８９２１５号公報
【特許文献３】特開２００３−３３３２２４号公報
【特許文献４】特開２００３−２２９９７８号公報
【特許文献５】特開２００３−３０４３５２号公報
【発明の開示】
【発明が解決しようとする課題】
【０００６】
しかし、上述のように、画像データと地紋データとを合成して、一つの画像ファイルとしてしまうと画像データだけを利用することはできなくなる。その一方で、画像データと地紋データとをそれぞれ別々にしたままで配信すると不特定の人が利用するおそれがある。
【０００７】
ところで、一つの画像ファイルで画像データと地紋データとを含めることができ、印刷時にはこれらを重ねた画像イメージで印刷できるとともに、必要な場合には画像データだけを取り出して利用できる画像ファイルとして、ＰＤＦファイルがある。ＰＤＦファイルは、少なくとも一つのレイヤから構成され、複数レイヤで構成された場合は、各レイヤを重ねて一つの画像とすることが可能なレイヤ管理機能を備えている。このため、画像データと地紋データとをそれぞれ異なるレイヤに格納したＰＤＦファイルなどのレイヤ管理できる画像ファイルを作成することで必要な場合には画像データだけを取り出して編集できる。しかし、この場合にも上述の不特定の人の利用可能性の問題点がある。
【０００８】
本発明の目的は、画像データと地紋データとを含む画像ファイルを作成する画像処理装置において、所定のユーザだけが画像データだけを取り出して編集できるように画像ファイルを作成する画像処理装置を提供することである。
【課題を解決するための手段】
【０００９】
本発明に係る画像処理装置は、レイヤ管理できる画像ファイルを作成し、配信する画像処理装置であって、
第１画像データを取得する第１画像データ取得部と、
第２画像データを取得する第２画像データ取得部と、
作成した画像ファイルの送信先を受け付ける受付手段と、
前記受付手段によって受け付けた送信先に応じて、前記第１画像データと前記第２画像データとを、同じレイヤに格納するか、異なるレイヤに格納するか、判断する判断部と、
前記判断部の判断の結果に基づいて、前記第１画像データと前記第２画像データとを、同じレイヤ又は異なるレイヤに格納して画像ファイルを作成する画像ファイル形成部と、
前記受付手段によって受け付けた送信先へ前記画像ファイルを送信する送信手段と
を備えたことを特徴とする。
【００１０】
また、前記判断部は、前記受付手段によって受け付けた送信先のユーザが登録されているか否かに応じて、前記第１画像データと前記第２画像データとを、同じレイヤに格納するか、異なるレイヤに格納するか、判断するものであってもよい。
【００１１】
本発明に係る画像処理装置は、レイヤ管理できる画像ファイルを作成する画像処理装置であって、
第１画像データを取得する第１画像データ取得部と、
第２画像データを取得する第２画像データ取得部と、
前記画像ファイルの作成の指示をしたユーザに応じて、前記第１画像データと前記第２画像データとを、同じレイヤに格納するか、異なるレイヤに格納するか、判断する判断部と、
前記判断部の判断の結果に基づいて、前記第１画像データと前記第２画像データとを、同じレイヤ又は異なるレイヤに格納して画像ファイルを作成する画像ファイル形成部と
を備えたことを特徴とする。
【００１２】
前記画像処理装置は、さらに、前記画像ファイルの作成を指示するユーザの識別情報を入力する識別情報入力部を備えていてもよい。また、前記判断部は、前記識別情報入力部から入力された識別情報がユーザ登録されているか否かに応じて、前記第１画像データと前記第２画像データとを、同じレイヤに格納するか、異なるレイヤに格納するか、判断するものであってもよい。
【００１３】
なお、前記第２画像データは、地紋データとすることができる。これによって画像データと地紋データとを重ねた画像イメージで印刷することができる。地紋を含む印刷物を複写すると地紋が鮮明になるため、画像データだけの印刷物としての利用を困難にすることができる。
【００１４】
また、前記画像ファイルは、ＰＤＦファイルを利用できる。なお、上記レイヤ管理機能を備える画像ファイルであればＰＤＦファイルに限定するものではない。
【００１５】
本発明に係る画像処理方法は、レイヤ管理できる画像ファイルを作成し、配信する画像処理方法であって、
第１画像データを取得するステップと、
第２画像データを取得するステップと、
作成した画像ファイルの送信先を受け付けるステップと、
前記受付手段によって受け付けた送信先に応じて、前記第１画像データと前記第２画像データとを、同じレイヤに格納するか、異なるレイヤに格納するか、判断するステップと、
前記判断の結果に基づいて、前記第１画像データと前記第２画像データとを、同じレイヤ又は異なるレイヤに格納して画像ファイルを作成するステップと、
前記受付手段によって受け付けた送信先へ前記画像ファイルを送信するステップと
を含むことを特徴とする。
【００１６】
また、本発明に係る画像処理方法は、レイヤ管理できる画像ファイルを作成し、配信する画像処理方法であって、
第１画像データを取得するステップと、
第２画像データを取得するステップと、
前記画像ファイルの作成の指示をしたユーザに応じて、前記第１画像データと前記第２画像データとを、同じレイヤに格納するか、異なるレイヤに格納するか、判断するステップと、
前記判断部の判断の結果に基づいて、前記第１画像データと前記第２画像データとを、同じレイヤ又は異なるレイヤに格納して画像ファイルを作成するステップと
を含むことを特徴とする。
【００１７】
また、本発明に係る画像処理プログラムは、前記画像ファイル作成方法をコンピュータで実行させることを特徴とする。
【００１８】
さらに、本発明に係るコンピュータ読み取り可能な記録媒体は、前記画像処理プログラムを格納したことを特徴とする。
【発明の効果】
【００１９】
本発明に係る画像処理装置によれば、送信先のユーザに応じて、第１画像データと第２画像データとを異なるレイヤに格納した画像ファイルを作成するか、又は、第１画像データと第２画像データとを同一レイヤに格納した画像ファイルを作成する。これによって、送信先のユーザが登録ユーザである場合には、画像ファイルから第１画像データだけを取り出して編集できる。一方、ユーザが登録ユーザでない場合には、第１画像データは第２画像データと同一のレイヤに格納されているので第１画像データだけを取り出して編集できない。このようにして第１画像データだけを取り扱うことができるユーザを制限できる。
【発明を実施するための最良の形態】
【００２０】
本発明の実施の形態に係る画像処理装置について添付図面を用いて説明する。なお、図面において実質的に同一の部材には同一の符号を付している。
【００２１】
実施の形態１
図１は、本発明の実施の形態１に係る画像処理装置のハードウエア構成を示すブロック図である。この画像処理装置１０は、ＣＰＵ１、ＲＯＭ２、ＲＡＭ３、ＨＤＤ４、入力部５、表示部６、プリント部７、インタフェース８、及び、バス９を備える。また、この画像処理装置１０は、ネットワーク２０に接続されており、画像ファイル作成指示ユーザＡ２２は、画像処理装置１０に直接に画像ファイルと地紋データとを重ねた画像イメージの画像ファイルの作成を指示し、ネットワーク２０を介して配信先ユーザ２４への配信を指示する。また、後述する実施の形態２で説明するように、画像ファイル作成指示ユーザＢ２６は、ネットワーク２０を介して画像ファイルと地紋データとを重ねた画像ファイルの作成を指示する。ここで作成する画像ファイルは、少なくとも一つのレイヤから構成され、複数レイヤで構成された場合は、各レイヤを重ねて一つの画像とすることが可能なレイヤ管理機能を備えることを特徴とする。このような画像ファイルとしては、例えば、ＰＤＦファイルがある。
【００２２】
図２は、この画像処理装置１０の機能的な構成を示すブロック図である。この画像処理装置１０は、入力部５、ユーザ登録部１１、ユーザ情報取得部１２、判断部１３、第１画像データ取得部１４、第２画像データ取得部１５、画像ファイル形成部１６、ロック機能付加部１７、インタフェース８を備える。入力部５でユーザ２２からの画像ファイル作成の指示を受け付ける。ユーザ登録部１１は、ユーザがＰＤＦファイルから画像ファイルだけを取り出して編集できるユーザを登録している。判断部１３において、配信先ユーザ２４が登録ユーザであるかに応じて画像データ３２と地紋データ３４とを異なるレイヤに格納するか、同一レイヤに格納するか、を判断する。第１画像データ取得部１４において、ユーザ２２による画像データを第１画像データとして取得する。第２画像データ取得部１５において、例えば、地紋データ等の合成用画像データを第２画像データとして取得する。画像ファイル形成部１６において、判断部１３における判断結果に応じて、画像データ３２と地紋データ３４とを異なるレイヤ又は同一レイヤに格納した画像ファイル３０、３０ａを作成する。ロック機能付加部１７によってＰＤＦファイルにロック機能を付加する。なお、「ロック機能」とは、ＰＤＦファイルの編集や印刷等の操作時にパスワードの入力を要求し、予め登録されたパスワードとの一致を条件にファイル操作を許可する機能である。インタフェース８は、ネットワーク２０と接続されている。
【００２３】
この画像処理装置１０によって、配信先ユーザ２４が登録ユーザであるか否かに応じて、画像データ３２と地紋データ３４とを異なるレイヤに格納した画像ファイル３０を作成するか、又は、画像データ３２と地紋データ３４とを同一レイヤに格納した画像ファイル３０ａを作成する。これによって、配信先ユーザ２４が登録ユーザである場合には、画像ファイル３０から画像データ３２だけを取り出して編集できる。一方、配信先ユーザ２４が登録ユーザでない場合には、画像データ３２は地紋データ３４と同一のレイヤ４０に格納されているので画像データ３２だけを取り出して編集できない。このようにして画像データ３２だけを取り扱うことができる配信先ユーザを制限できる。
【００２４】
なお、ここでは配信先ユーザ２４があらかじめ登録されたユーザであるか否かに応じて、画像データ３２と地紋データ３４とを異なるレイヤに格納するか、又は、画像データ３２と地紋データ３４とを同一レイヤに格納するか、判断したが、この場合に限られない。例えば、配信先のアドレスが社内である場合には画像データ３２と地紋データ３４とを異なるレイヤに格納し、社外である場合には同一レイヤに格納するようにしてもよい。あるいは、配信先のアドレスの情報に応じて、画像データ３２と地紋データ３４とを異なるレイヤに格納するか、同一レイヤに格納するか、を判断するようにしてもよい。さらに、配信先としては、ネットワーク２０に接続されたユーザ２４に限られず、例えば、画像処理装置１０内のハードディスク等のＢＯＸであってもよい。
【００２５】
図３は、この画像処理方法のフローチャートである。
（ａ）ユーザ２２からのＰＤＦファイル作成の指示及び作成した画像ファイルをユーザ２４に配信する指示を受け付ける（Ｓ０１）。
（ｂ）画像データを受け付ける（Ｓ０２）。この画像データは、例えば、画像処理装置１０でスキャンして得られたスキャン画像であってもよい。あるいは、あらかじめネットワークを介して画像処理装置１０に送信しておいた画像データであってもよい。
（ｃ）配信先ユーザ２４が登録ユーザであるか否かを判断する（Ｓ０３）。ユーザ登録部１１には、画像データ３２だけを取り出して編集できるユーザがあらかじめ登録されている。例えば、画像処理装置１０にネットワーク２０を介してアクセスできるユーザを登録しておいてもよい。あるいは、このような場合に限られず画像ファイル作成時に登録ユーザを設定してもよい。
（ｄ）配信先ユーザ２４が登録ユーザである場合には、画像データと地紋データとを異なるレイヤとするＰＤＦファイルを作成する（Ｓ０４）。図４は、画像データ３２と地紋データ３４をそれぞれ異なるレイヤ４０ａ、４０ｂに格納している画像ファイル３０のレイヤ構造を示す概念図である。このようにして作成されたＰＤＦファイルでは、図４に示すように、画像データ３２と地紋データ３４とがそれぞれ異なるレイヤ４０ａ、４０ｂに格納されているので、画像データ３２のみを取り出して編集できる。
（ｅ）一方、配信先ユーザ２４が登録ユーザでない場合には、画像データと地紋データとを合成した合成データを同一のレイヤとするＰＤＦファイルを作成する（Ｓ０５）。図５は、画像データ３２と地紋データ３４とを合成した合成データを同一のレイヤ４０に格納している画像ファイル３０ａのレイヤ構造を示す概念図である。このようにして作成されたＰＤＦファイルでは、図５に示すように、画像データ３２と地紋データ３４とを合成した合成データが同一のレイヤ４０に格納されており、画像データのみを取り出して編集できない。
（ｆ）ＰＤＦロック機能付加の有無の指示を判断する（Ｓ０６）。指示がある場合にはロック機能を付加し（Ｓ０７）、指示がなければロック機能を付加しない（Ｓ０８）。ロック機能の付加は、パスワードの設定により実行できる。
（ｇ）その他の情報の付加の有無の指示を判断する（Ｓ０９）。指示がある場合には、その他の情報を付加し（Ｓ１０）、指示がなければ、その他の情報を付加しない（Ｓ１１）。なお、その他の情報としては、例えば、著作権情報や編集権限等を規定する電子透かしであってもよい。この電子透かしは、例えば、画像データのみの編集や印刷等の権限を有するユーザについて規定するものであってもよい。この電子透かしを調べることで、ユーザが画像データのみを編集可能な権限を有するか否か、あるいは、画像データのみを印刷可能な権限を有するか否か等を判断できる。
（ｈ）以上によって、ＰＤＦファイル作成を完了する（Ｓ１２）。
【００２６】
図６は、画像データ３２と地紋データ３４をそれぞれ異なるレイヤ４０ａ、４０ｂに格納している画像ファイル３０又は同一のレイヤ４０に格納した画像ファイル３０ａから画像データ３２のみの編集を指示された場合のフローチャートの一例である。
（ａ）ＰＤＦファイル３０に含まれる画像データ３２の編集指示を受け付ける（Ｓ２１）。
（ｂ）ＰＤＦファイル３０にロック機能が付加されているか否かを判断する（Ｓ２２）。ロック機能が付加されていない場合にはパスワード入力の受付（Ｓ２３）及びパスワード確認（Ｓ２４）を飛ばしてステップＳ２５へ移る。
（ｃ）ＰＤＦファイル３０にロック機能が付加されている場合には、パスワードの入力を受け付ける（Ｓ２３）。
（ｄ）入力されたパスワードが設定されたパスワードと一致するか否かを判断する（Ｓ２４）。一致する場合には次のステップＳ２５に移行し、パスワードが一致しない場合には終了する。なお、１回の入力だけで終了させる場合に限られず、再度のパスワード入力を要求するようにしてもよい。
（ｅ）電子透かしが付加されているかを判断する（Ｓ２５）。電子透かしが付加されていなければステップＳ２７へ移る。
（ｆ）電子透かしが付加されている場合には、ユーザが画像データ３２のみを編集可能な権限を有するユーザか否かを判断する（Ｓ２６）。編集可能なユーザである場合にはステップＳ２７へ進み、編集権限を有しないユーザの場合にはステップＳ２９へ移る。
（ｇ）画像データと地紋データとは異なるレイヤに格納されているかを判断する（Ｓ２５）。
（ｈ）画像データと地紋データとが異なるレイヤに格納されている場合（ＹＥＳ）には、画像データ３２のみの編集が可能である（Ｓ２８）。一方、画像データ３２と地紋データ３４とが同一のレイヤ４０に格納されている場合（ＮＯ）には、画像データ３２と地紋データ３４とを合成した合成データの編集のみが可能である（Ｓ２９）。
【００２７】
図７は、画像データ３２と地紋データ３４をそれぞれ異なるレイヤ４０ａ、４０ｂに格納している画像ファイル３０又は同一のレイヤ４０に格納した画像ファイル３０ａから画像データ３２のみの印刷を指示された場合のフローチャートの一例である。画像ファイル３０又は画像ファイル３０ａについて印刷を指示した場合には、通常、全てのレイヤを重ねて印刷するモードとなるが、指定したレイヤについて印刷するモードを選択することができる。そこで、画像データ３２を含むレイヤのみの印刷を指示した場合について以下に説明する。
（ａ）ＰＤＦファイル３０に含まれる画像データ３２の印刷指示を受け付ける（Ｓ５１）。
（ｂ）ＰＤＦファイル３０にロック機能が付加されているか否かを判断する（Ｓ５２）。ロック機能が付加されていない場合には、以下のパスワード入力の受付（Ｓ５３）及びパスワード確認（Ｓ５４）を飛ばしてステップＳ５５へ移る。
（ｃ）ＰＤＦファイル３０にロック機能が付加されている場合には、パスワードの入力を受け付ける（Ｓ５３）。
（ｄ）入力されたパスワードが設定されたパスワードと一致するか否かを判断する（Ｓ５４）。一致する場合には次のステップＳ５５に移行し、パスワードが一致しない場合には終了する。なお、１回の入力だけで終了させる場合に限られず、再度のパスワード入力を要求するようにしてもよい。
（ｅ）電子透かしが付加されているかを判断する（Ｓ５５）。電子透かしが付加されていなければステップＳ５７へ移る。
（ｆ）電子透かしが付加されている場合には、ユーザが画像データ３２のみを印刷可能な権限を有するユーザか否かを判断する（Ｓ５６）。画像データ３２のみを印刷可能なユーザである場合にはステップＳ５７へ進み、画像データ３２のみの印刷権限を有しないユーザの場合にはステップＳ５９へ移る。
（ｇ）画像データ３２と地紋データ３４とが異なるレイヤに格納されているかを判断する（Ｓ５５）。
（ｈ）画像データ３２と地紋データ３４とが異なるレイヤに格納されている場合（ＹＥＳ）には、画像データ３２のみの印刷が可能である（Ｓ５８）。一方、画像データ３２と地紋データ３４とが同一のレイヤ４０に格納されている場合（ＮＯ）には、画像データ３２と地紋データ３４とを合成した合成データの印刷のみが可能である（Ｓ５９）。
【００２８】
実施の形態２
図８は、本発明の実施の形態２に係る画像処理装置１０ａの機能的な構成を示すブロック図である。この画像処理装置１０ａは、実施の形態１に係る画像処理装置と比較すると、ユーザ２６がネットワーク２０を介して画像ファイルの作成指示をする場合において、ユーザＢ２６の識別情報を入力する識別情報入力部１８を備えると共に、判断部１３においてユーザＢ２６が登録ユーザであるか否かを判断する点で相違する。この画像処理装置１０ａでは、ネットワーク２０を介して画像ファイルの作成を指示したユーザ２６が登録ユーザであるか否かの判断に応じて、画像データ３２と地紋データ３４とを異なるレイヤ又は同一レイヤに格納する画像ファイル３０、３０ａを作成する。これによって、ユーザ２６が登録ユーザである場合には、画像ファイル３０から画像データ３２だけを取り出して編集できる。一方、ユーザ２６が登録ユーザでない場合には、画像データ３２は地紋データ３４と同一のレイヤ４０に格納されているので画像データ３２だけを取り出して編集できない。このようにして画像データ３２だけを取り扱うことができるユーザを制限できる。
【００２９】
図９は、この画像処理方法のフローチャートである。この画像処理方法は、実施の形態１に係る画像処理方法と比較すると、ネットワーク２０を介して画像ファイルの形成を指示したユーザＢ２６が登録ユーザであるか否かに応じて画像データと地紋データとを異なるレイヤ又は同一のレイヤに格納した画像ファイルを形成する点で相違する。この画像処理方法について以下に説明する。
（ａ）ネットワーク２０を介して、ＰＤＦファイル作成の指示を受け付ける（Ｓ３１）
（ｂ）画像データを受け付ける（Ｓ３２）
（ｃ）作成指示ユーザ２６が登録ユーザであるか否かを判断する（Ｓ３３）。
（ｄ）ユーザ２６が登録ユーザである場合には、画像データと地紋データとを異なるレイヤに格納するＰＤＦファイルを作成する（Ｓ３４）。
（ｅ）一方、ユーザ２６が登録ユーザでない場合には、画像データと地紋データとを同一のレイヤに格納するＰＤＦファイルを作成する（Ｓ３５）。
（ｆ）ＰＤＦロック機能付加の指示の有無を判断する（Ｓ３６）。指示があればロック機能を付加し（Ｓ３７）、指示がなければロック機能を付加しない（Ｓ３８）。
（ｇ）その他の情報の付加の指示の有無を判断する（Ｓ３９）。指示があれば、その他の情報を付加し（Ｓ４０）、指示がなければ、その他の情報を付加しない（Ｓ４１）。
（ｈ）以上でＰＤＦファイル作成を完了する（Ｓ４２）。
【産業上の利用可能性】
【００３０】
本発明に係る画像処理装置は、レイヤ管理機能を備えるＰＤＦファイル等の画像ファイルを作成するＭＦＰとして利用できる。
【図面の簡単な説明】
【００３１】
【図１】本発明の実施の形態１に係る画像処理装置のハードウエア構成を示すブロック図である。
【図２】本発明の実施の形態１に係る画像処理装置の機能的な構成を示すブロック図である。
【図３】本発明の実施の形態１に係る画像処理方法のフローチャートである。
【図４】画像データと地紋データを異なるレイヤに格納している画像ファイルのレイヤ構造を示す概念図である。
【図５】画像データと地紋データを同一のレイヤに格納している画像ファイルのレイヤ構造を示す概念図である。
【図６】画像データと地紋データを異なるレイヤ、又は、同一レイヤに格納している画像ファイルから画像データのみの編集を指示された場合のフローチャートの一例である。
【図７】画像データと地紋データを異なるレイヤ、又は、同一レイヤに格納している画像ファイルから画像データのみの印刷を指示された場合のフローチャートの一例である。
【図８】本発明の実施の形態２に係る画像処理装置の機能的な構成を示すブロック図である。
【図９】本発明の実施の形態２に係る画像処理方法のフローチャートである。
【符号の説明】
【００３２】
１  ＣＰＵ、２  ＲＯＭ、３  ＲＡＭ、４  ＨＤＤ、５  入力部、６  表示部、７  プリント部、８  インタフェース、９  バス、１０、１０ａ  画像処理装置、１１  ユーザ登録部、ユーザ情報取得部、１３  判断部、１４  第１画像データ取得部、１５  第２画像データ取得部、１６  画像ファイル形成部、１７  ロック機能付加部、１８  識別情報入力部、２０ネットワーク、２２  画像ファイル作成指示ユーザＡ、２４  配信先ユーザ、２６  画像ファイル作成指示ユーザＢ、３０、３０ａ  画像ファイル、３２  画像データ、３４  地紋データ、４０、４０ａ、４０ｂ  レイヤ
【図１】
2006279401.tif 000003
【図２】
2006279401.tif 000004
【図３】
2006279401.tif 000005
【図４】
2006279401.tif 000006
【図５】
2006279401.tif 000007
【図６】
2006279401.tif 000008
【図７】
2006279401.tif 000009
【図８】
2006279401.tif 000010
【図９】
2006279401.tif 000011